【手続補正書】
【提出日】平成17年10月17日(2005.10.17)
【手続補正１】
【補正対象書類名】明細書
【補正対象項目名】特許請求の範囲
【補正方法】変更
【補正の内容】
【特許請求の範囲】
【請求項１】  第１の表色系の色空間内に形成され、該第１の表色系による第１の画像データに対応づけられた複数の格子点の各々に、第２の表色系による第２の画像データを対応付けた色変換テーブルを記憶しておき、該色変換テーブルを参照しながら、該第１の表色系により表現された画像データを該第２の表色系による画像データに変換する画像処理装置であって、
前記色変換テーブルとして、前記第１の表色系における所定の階調領域では前記第２の画像データの階調変化を割り増しするとともに残余の階調領域では階調変化を圧縮する処理であるエンコード処理が施された状態で、該第２の画像データを前記格子点に対応付けたテーブルを記憶しておく色変換テーブル記憶手段と、
前記エンコード処理によって割り増しあるいは圧縮された階調変化を復元する処理であるデコード処理を前記色変換テーブルに施すことによって、中間的な色変換テーブルを生成する中間テーブル生成手段と、
前記中間的な色変換テーブルとは少なくとも異なる格子点を含んで設定された複数の格子点について、各格子点に対応する前記第２の画像データを該中間的な色変換テーブルに基づいて算出した後、該算出した第２の画像データに前記エンコード処理を施すことによって、該中間的な色変換テーブルの再構築を行う色変換テーブル再構築手段と、
前記再構築した色変換テーブルを参照することにより、前記第１の表色系により表現された画像データを前記エンコード処理が施されたエンコード済み画像データに変換する色変換手段と、
該エンコード済み画像データに前記デコード処理を施すことにより、前記第２の表色系により画像データを求める画像データデコード手段と
を備える画像処理装置。
【請求項２】  前記色変換手段は、前記エンコード処理として、前記第２の画像データ間の大小関係を維持したまま、該第２の画像データの階調変化を割り増しおよび圧縮する手段である請求項１記載の画像処理装置。
【請求項３】  請求項１記載の画像処理装置であって、
前記中間テーブル生成手段は、
前記エンコード処理が実施された状態の前記第２の画像データと、該エンコード処理が未実施の第２の画像データとを対応付けて記憶したデコードテーブルを備えるとともに、
前記デコードテーブルを参照しながら前記色変換テーブルを変換することによって、前記中間テーブルを生成する手段である画像処理装置。
【請求項４】  請求項１記載の画像処理装置であって、
前記色変換テーブル再構築手段は、前記中間的な色変換テーブルの格子点よりも多数の格子点を含んだ色変換テーブルを再構築する手段である画像処理装置。
【請求項５】  請求項１記載の画像処理装置であって、
前記画像データデコード手段は、前記色変換手段によって得られた前記エンコード済み画像データに前記デコード処理を施すとともに、単ドットあたりに表現する階調値の異なる各種ドットについてのドット形成密度を示すドット量データに変換する手段である画像処理装置。
【請求項６】  請求項５記載の画像処理装置であって、
前記画像データデコード手段は、
前記エンコード済み画像データと、該エンコード処理の未実施の第２の画像データを変換することによって得られる前記ドット量データとを対応付けて記憶している変換表を備えるとともに、
前記色変換手段によって得られた前記エンコード済み画像データを、前記変換表を参照することによって前記ドット量データに直接変換する手段である画像処理装置。
【請求項７】  前記第１の表色系はＲＧＢ表色系画であり、前記第２の表色系はＣＭＹ表色系である請求項１記載の画像処理装置。
【請求項８】  請求項１記載の画像処理装置であって、
前記画像データの変換精度と変換速度との優先順位に関する設定を検出する検出手段と、
前記変換精度よりも前記変換速度を優先する設定になっている場合には、前記中間テーブル生成手段の動作を禁止する禁止手段と  
を備えるとともに、  
前記色変換テーブル再構築手段は、前記変換精度よりも前記変換速度を優先する設定になっている場合には、該中間テーブル生成手段が生成する前記中間的な色変換テーブルに代えて、前記記憶されている色変換テーブルを用いて、前記中間的な色変換テーブルの再構築を行なう
画像処理装置。
【請求項９】  第１の表色系の色空間内に形成され、該第１の表色系による第１の画像データに対応づけられた複数の格子点の各々に、第２の表色系による第２の画像データを対応付けた色変換テーブルを記憶しておき、該色変換テーブルを参照しながら、該第１の表色系により表現された画像データを該第２の表色系による画像データに変換する画像処理方法であって、
前記色変換テーブルとして、前記第１の表色系における所定の階調領域では前記第２の画像データの階調変化を割り増しするとともに残余の階調領域では階調変化を圧縮する処理であるエンコード処理が施された状態で、該第２の画像データを前記格子点に対応付けたテーブルを記憶しておく第１の工程と、
前記エンコード処理によって割り増しあるいは圧縮された階調変化を復元する処理であるデコード処理を前記色変換テーブルに施すことによって、中間的な色変換テーブルを生成する第２の工程と、
前記中間的な色変換テーブルとは少なくとも異なる格子点を含んで設定された複数の格子点について、各格子点に対応する前記第２の画像データを該中間的な色変換テーブルに基づいて算出した後、該算出した第２の画像データに前記エンコード処理を施すことによって、該中間的な色変換テーブルの再構築を行う第３の工程と、
前記再構築した色変換テーブルを参照することにより、前記第１の表色系により表現された画像データを前記エンコード処理が施されたエンコード済み画像データに変換する第４の工程と、
該エンコード済み画像データに前記デコード処理を施すことにより、前記第２の表色系による画像データを求める第５の工程と
を備える画像処理方法。
【請求項１０】  第１の表色系の色空間内に形成され、該第１の表色系による第１の画像データに対応づけられた複数の格子点の各々に、第２の表色系による第２の画像データを対応付けた色変換テーブルを記憶しておき、該色変換テーブルを参照しながら、該第１の表色系により表現された画像データを該第２の表色系による画像データに変換する画像処理方法を、コンピュータを用いて実現するためのプログラムであって、
前記色変換テーブルとして、前記第１の表色系における所定の階調領域では前記第２の画像データの階調変化を割り増しするとともに残余の階調領域では階調変化を圧縮する処理であるエンコード処理が施された状態で、該第２の画像データを前記格子点に対応付けたテーブルを記憶しておく第１の機能と、
前記エンコード処理によって割り増しあるいは圧縮された階調変化を復元する処理であるデコード処理を前記色変換テーブルに施すことによって、中間的な色変換テーブルを生成する第２の機能と、
前記中間的な色変換テーブルとは少なくとも異なる格子点を含んで設定された複数の格子点について、各格子点に対応する前記第２の画像データを該中間的な色変換テーブルに基づいて算出した後、該算出した第２の画像データに前記エンコード処理を施すことによって、該中間的な色変換テーブルの再構築を行う第３の機能と、
前記再構築した色変換テーブルを参照することにより、前記第１の表色系により表現された画像データを前記エンコード処理が施されたエンコード済み画像データに変換する第４の機能と、
該エンコード済み第２の画像データに前記デコード処理を施すことにより、前記第２の表色系による画像データを求める第５の機能と
を実現するプログラム。
【手続補正２】
【補正対象書類名】明細書
【補正対象項目名】００１２
【補正方法】変更
【補正の内容】
【００１２】
【課題を解決するための手段およびその作用・効果】
上述した課題の少なくとも一部を解決するために、本発明の画像処理装置は、次の構成を採用した。すなわち、
第１の表色系の色空間内に形成され、該第１の表色系による第１の画像データに対応づけられた複数の格子点の各々に、第２の表色系による第２の画像データを対応付けた色変換テーブルを記憶しておき、該色変換テーブルを参照しながら、該第１の表色系により表現された画像データを該第２の表色系による画像データに変換する画像処理装置であって、
前記色変換テーブルとして、前記第１の表色系における所定の階調領域では前記第２の画像データの階調変化を割り増しするとともに残余の階調領域では階調変化を圧縮する処理であるエンコード処理が施された状態で、該第２の画像データを前記格子点に対応付けたテーブルを記憶しておく色変換テーブル記憶手段と、
前記エンコード処理によって割り増しあるいは圧縮された階調変化を復元する処理であるデコード処理を前記色変換テーブルに施すことによって、中間的な色変換テーブルを生成する中間テーブル生成手段と、
前記中間的な色変換テーブルとは少なくとも異なる格子点を含んで設定された複数の格子点について、各格子点に対応する前記第２の画像データを該中間的な色変換テーブルに基づいて算出した後、該算出した第２の画像データに前記エンコード処理を施すことによって、該中間的な色変換テーブルの再構築を行う色変換テーブル再構築手段と、
前記再構築した色変換テーブルを参照することにより、前記第１の表色系により表現された画像データを前記エンコード処理が施されたエンコード済み画像データに変換する色変換手段と、
該エンコード済み画像データに前記デコード処理を施すことにより、前記第２の表色系により画像データを求める画像データデコード手段と
を備えることを要旨とする。
【手続補正３】
【補正対象書類名】明細書
【補正対象項目名】００１３
【補正方法】変更
【補正の内容】
【００１３】
また、上記の画像処理装置に対応する本発明の画像処理方法は、
第１の表色系の色空間内に形成され、該第１の表色系による第１の画像データに対応づけられた複数の格子点の各々に、第２の表色系による第２の画像データを対応付けた色変換テーブルを記憶しておき、該色変換テーブルを参照しながら、該第１の表色系により表現された画像データを該第２の表色系による画像データに変換する画像処理方法であって、
前記色変換テーブルとして、前記第１の表色系における所定の階調領域では前記第２の画像データの階調変化を割り増しするとともに残余の階調領域では階調変化を圧縮する処理であるエンコード処理が施された状態で、該第２の画像データを前記格子点に対応付けたテーブルを記憶しておく第１の工程と、
前記エンコード処理によって割り増しあるいは圧縮された階調変化を復元する処理であるデコード処理を前記色変換テーブルに施すことによって、中間的な色変換テーブルを生成する第２の工程と、
前記中間的な色変換テーブルとは少なくとも異なる格子点を含んで設定された複数の格子点について、各格子点に対応する前記第２の画像データを該中間的な色変換テーブルに基づいて算出した後、該算出した第２の画像データに前記エンコード処理を施すことによって、該中間的な色変換テーブルの再構築を行う第３の工程と、
前記再構築した色変換テーブルを参照することにより、前記第１の表色系により表現された画像データを前記エンコード処理が施されたエンコード済み画像データに変換する第４の工程と、
該エンコード済み画像データに前記デコード処理を施すことにより、前記第２の表色系による画像データを求める第５の工程と
を備えることを要旨とする。